(57)【要約】【課題】  通信ケーブルを確実に且つ容易に接続することができ、さらに通信ケーブルの確実な防水が可能な防水型モジュラコネクタを提供する。【解決手段】  機器に固定されるコンセント部１と、通信ケーブル２３の先端側に配設されコンセント部に着脱可能なプラグ部２１とを有するモジュラコネクタ１００において、プラグ部の先端側には、通信ケーブルを固定し、かつ防水機能を有するケーブルクランプ３６が螺合され、ケーブルクランプの先端側には、通信ケーブルを被覆する蛇腹管等の管状部材２８を密閉で固定する手段が設けられていることを特徴とする。【選択図】      図３
2005276633.tif 000002
【特許請求の範囲】
【請求項１】
機器に固定されるコンセント部と、通信ケーブルの先端側に配設され前記コンセント部に着脱可能なプラグ部とを有するモジュラコネクタにおいて、
前記プラグ部の先端側には、前記通信ケーブルを固定し、かつ防水機能を有するケーブルクランプが螺合され、
前記ケーブルクランプの先端側には、前記通信ケーブルを被覆する管状部材を密閉で固定する手段が設けられていることを特徴とする、モジュラコネクタ。
【請求項２】
前記ケーブルクランプは、
前記通信ケーブルに固着され、先端側にテーパ部が設けられる第１ケーブルクランプと、
前記第１ケーブルクランプの先端側に螺合する第２ケーブルクランプと、を備え、
前記第１ケーブルクランプと前記第２ケーブルクランプの間に環状弾性体が設けられていることを特徴とする、請求項１に記載のモジュラコネクタ。
【請求項３】
前記管状部材は、蛇腹管であることを特徴とする、請求項１または２に記載のモジュラコネクタ。
【発明の詳細な説明】
【技術分野】
【０００１】
本発明は、情報通信に使用されるモジュラコネクタに係り、特に屋外での使用に耐える防水型モジュラコネクタに関する。
【背景技術】
【０００２】
屋外設置の無線基地局等では、装置設置後にモジュラコネクタを使用する通信ケ−ブルの接続を行うので、設備工事を行う作業者は、装置のカバーや扉を開けることなく、簡単なコネクタで接続工事が短時間に行えることが望まれていた。
【０００３】
従来、通信ケ−ブルの接続は、非防水のモジュラコネクタが使用されており、屋外基地局等の設置工事においては、設置工事完了後に通信ケ−ブルの接続のために通信装置の小扉を開けて、非防水タイプモジュラコネクタの接続配線をして、再度小扉を締めていた（例えば、特許文献１を参照）。
【０００４】
しかし、上記の設置工事においては、モジュラコネクタの接続を行った後に、小扉の締め忘れや防水不完全な状態による浸水事故を起こす危険性が有った。特に、取り付け場所が高所で足元が定まりにくい場所では、設置工事も困難を呈していた。
【０００５】
また、通信ケーブルとして非防水性ケーブルを用いる場合は、蛇腹などの管で保護するが、管の固定方法は、通信装置本体と自己融着テープ等で何重にも巻きつけて固定していたが、防水不完全な状態による浸水事故を起こす虞があった。
【０００６】
このため、移動体通信システムの無線基地局などの屋外に設置される通信機器では、通信ケーブルを接続するコネクタに防水型のものを使用する必要がある。防水型の通信コネクタに関しては、多くの提案がされている。
【０００７】
例えば、特開２００１−６７９８号公報（特許文献２）には、フード部を有する雌コネクタハウジングとアウタピース及びインナピースを有する雄コネクタハウジングとが防水リングアセンブリを介して密着嵌合することで端子金具収容部が個室防水状態となる防水コネクタが開示されている。また、非防水型同軸コネクタの形状を若干変更し、Ｏリングと防水リングを追加することにより比較的簡単な構造で防水性能を得られるようにした防水型同軸コネクタが開示されている（例えば、特許文献３を参照）。
【０００８】
【特許文献１】実開平０５−３１３８７号
【特許文献２】特開２００１−６７９８号
【特許文献３】特開平９−１２９３２２号
【発明の開示】
【発明が解決しようとする課題】
【０００９】
しかしながら、上記従来の防水コネクタは、同軸コネクタやピンコネクタのための防水構造を有しており、モジュラコネクタのための防水構造ではない。一般に、屋外に設置される無線基地局などで使用される通信ケーブルには、非防水のモジュラコネクタが使用されている。
【００１０】
従って、屋外でモジュラコネクタを用いた通信ケーブルを容易に且つ確実に接続することは、接続工事の効率化及び安全性の向上に必要である。また、屋外での使用に耐えるためにモジュラコネクタは、防水型でなければならない。
【００１１】
さらに、上述したように、通信ケーブルとして非防水性ケーブルを用いる場合に、蛇腹管等で通信ケーブルを保護するが、屋外での使用時に通信ケーブルを防水する際に、この蛇腹管等がより容易に通信ケーブルに装着できることが望まれている。
【００１２】
そこで、本発明は、従来の防水コネクタが有する上記問題点に鑑みてなされたものであり、本発明の目的は、通信ケーブルを確実に且つ容易に接続することができ、さらに通信ケーブルの確実な防水が可能な、新規かつ改良された防水型モジュラコネクタを提供することである。
【課題を解決するための手段】
【００１３】
上記課題を解決するために、本発明のある観点によれば、機器に固定されるコンセント部と、通信ケーブルの先端側に配設され前記コンセント部に着脱可能なプラグ部とを有するモジュラコネクタにおいて、プラグ部の先端側には、通信ケーブルを固定し、かつ防水機能を有するケーブルクランプが螺合され、ケーブルクランプの先端側には、通信ケーブルを被覆する蛇腹管等の管状部材を密閉で固定する手段が設けられていることを特徴とする、モジュラコネクタが提供される。
【００１４】
このような構成とすることにより、通信ケ−ブルを屋外環境でも保護する蛇腹管を簡便に取り付け可能となり、通信ケーブルを屋外環境でも使用できるようになるので、モジュラコネクタの着脱が装置外側だけで簡単に接続可能となる。
【００１５】
また、このときケーブルクランプは、通信ケーブルに固着され、先端側にテーパ部が設けられる第１ケーブルクランプと、この第１ケーブルクランプの先端側に螺合する第２ケーブルクランプと、を備え、第１ケーブルクランプと第２ケーブルクランプの間に環状弾性体が設けられていることとしてもよい。
【００１６】
このような構成とすることにより、第２ケ−ブルクランプをネジ締め付けにより嵌合させると第１ケーブルクランプのテーパが締め付けられ、環状弾性体の内径が狭まり、通信ケ−ブルを締め付けることで防水性を確実に向上できる。
【発明の効果】
【００１７】
以上説明したように本発明によれば、略円筒型コネクタに非防水モジュラコネクタが組み込まれ、非防水ケーブルが蛇腹管等の管状部材に保護されることでモジュラコネクタの着脱が装置外側だけで簡単に接続できる。また、防水組立された通信装置のケ−スやカバーあるいは扉を外すことなく、接続工事が簡単かつ確実に短時間で行うことができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
まず、本発明の第１実施形態における防水型モジュラコネクタの構成について図面を使用しながら説明する。図１は、本発明の第１実施形態における防水型モジュラコネクタのコンセント部の分解斜視図である。
【００２０】
図１に示すように、略円筒形のコンセント筐体１には、取り付けねじ４を通す孔５ａが四隅に配設された略方形の角型フランジ５が設けられている。コンセント筐体１は、その一方の端部６がＯリングパッキン３を通して装置パネル２に形成された孔２ａに挿入され、装置パネル２に形成されたねじ孔２ｂに取り付けねじ４を螺合して固定される。
【００２１】
コンセント筐体１の内部には、モジュラジャックユニット１７を保持した絶縁体プラスチック製のモジュラジャックホルダ１８が組み込まれている。モジュラジャックホルダ１８の一端には、抜け防止爪２０が設けられている。この抜け防止爪２０は、コンセント筐体１内に挿入されたときに、コンセント筐体１の側面に形成されたロック用抜け防止爪受け孔９と嵌合することでモジュラジャックホルダ１８の脱落を防止する。
【００２２】
また、コンセント筐体１の先端側に向いた挿入口１１には、リブ８が、挿入口１１近傍には、プラグ挿入方向の位置を規制するためのリブ１２が設けられ、モジュラジャックホルダ１８をコンセント筐体１内に挿入したときに、モジュラジャックホルダ１８に保持されたモジュラジャックユニット１７を所定の位置に正しく位置決めする。
【００２３】
モジュラジャックユニット１７は、プラグ挿入口が互いに反対方向に向いた、すなわち一方が装置パネル２の方へ、他方が挿入口１１の方へ向いた、２個のモジュラジャック１４、１５を有し、これらモジュラジャック１４、１５は、プリント基板１６上に固定されると共に互いに電気的に接続されている。モジュラジャック１４、１５とプリント基板１６とから構成されるモジュラジャックユニット１７は、モジュラジャックホルダ１８の位置決め爪１９によりモジュラジャックホルダ１８内の所定位置に保持される。
【００２４】
このようなモジュラジャックホルダ１８がコンセント筐体１内に挿入されることで、モジュラジャックユニット１７は、コンセント筐体１内の所定位置に所定の向きで固定される。すなわち、モジュラジャック１５の挿入口がコンセント筐体１の挿入口１１を通して露出し、モジュラジャック１４の挿入口が装置パネル２の内部に露出するように配置される。
【００２５】
また、コンセント筐体１の先端１０の外周部には、プラグ部との締結のためのねじ溝１３が形成されている。
【００２６】
図２は、本実施形態による防水型モジュラコネクタのプラグ部の分解斜視図である。略円筒形のプラグ筐体２１には、通信ケーブル２３が貫通し、プラグ筐体２１の基端側には、通信ケーブル２３の先端に接続されたモジュラプラグ２４がプラグホルダ２５に組み込まれ保持されている。
【００２７】
プラグ筐体２１の基端側の外周には、溝３２が形成され、プラグ筐体２１に回転自在に嵌り込んだコネクタ締結ねじキャップ３１の脱落防止のために、溝３２にＣ型リテーナ３３が嵌め込まれている。また、プラグ筐体２１の先端側の内周には、ねじ部３５が形成されている。さらに、プラグ筐体２１とコンセント筐体１との接続部の防水性を高めるために、プラグ筐体２１とコンセント筐体１との間に防水Ｏリングパッキン３０を挟んでコネクタ締結ねじキャップ３１が締め付けられる。
【００２８】
プラグ筐体２１の先端側には、通信ケーブル２３を固定し、かつ防水機能を有する防水キャプコン部３６が設けられている。この防水キャプコン部３６は、２つのケーブルクランプ３４、３７を具備する。すなわち、プラグ筐体２１の先端側内周に形成されたねじ部３５には、通信ケーブル２３を固定する防水ケーブルクランプ３４が螺合する。さらに、防水ケーブルクランプ３７を環状弾性体であるブッシュ２９を挟んで防水ケーブルクランプ３４の先端側外周のねじ部３４ａに螺合させる。
【００２９】
本実施形態では、防水ケ−ブルクランプ３４の先端側には、ケーブル２３をより締め付けるためのテーパ部３４ｂが形成されている。このテーパ部３４ｂについては、後述するものとする。なお、この防水キャプコン部３６は、市販のものを使用することができる。
【００３０】
次に、本実施形態におけるコンセント部とプラグ部を組み合わせたときに構成される防水型モジュラコネクタの構成について、図面を使用しながら説明する。
【００３１】
図３は、本実施形態による防水型モジュラコネクタ１００の側面断面図である。上述したように、コンセント筐体１では、モジュラジャックユニット１７がコンセント筐体１内の所定位置に所定の向きで固定され、モジュラジャック１５の挿入口がプラグ挿入口側に、モジュラジャック１４の挿入口が通信機器側にそれぞれ配置されている。
【００３２】
プラグ筐体２１は、プラグホルダ２５がプラグ筐体２１内に押し込まれた状態で、プラグ筐体２１に設けられた位置決めマーク２１ａをコンセント筐体１に設けられた位置決めマーク１ａと一致させてコンセント筐体１の挿入側開口２２に差し込まれる。これによって、モジュラプラグ２４は、コンセント筐体１のモジュラジャック１５に差し込まれて接続される。そして、コネクタ締結ねじキャップ３１をコンセント筐体１のねじ溝１３に螺合させ、防水Ｏリングパッキン３０を挟んで締め付けることで、コンセント筐体１とプラグ筐体２１とが締結され防水を確実にすることができる。
【００３３】
装置パネル２内部の通信ケーブル１０１のモジュラプラグ１０２は、コンセント筐体１内のモジュラジャック１４に差し込まれて接続される。モジュラジャック１４、１５は、プリント基板１６を通して互いに接続されているから、外部の通信ケーブル２３と装置内部のケーブル１０１とは、２個のモジュラジャック１４、１５を通して電気的に接続される。
【００３４】
また、モジュラコネクタを外す場合は、防水キャプコン部を外すと共にコネクタ締結ねじキャップ３１を緩めてコンセント筐体１のねじ溝１３から外してプラグ筐体２１を引き抜いてから、モジュラプラグ２４をコンセント筐体１内のモジュラジャック１５から外せばよい。
【００３５】
上述したように、本実施形態では、防水ケ−ブルクランプ３４の先端側には、ケーブル２３をより締め付けるためのテーパ部３４ｂが形成されている。このため、防水ケ−ブルクランプ３７のネジ締め付けを実行することによりテーパ部３４ｂが締め付けられ、弾性体のブッシュ２９の内径が狭まり、通信ケ−ブル２３がブッシュ２９により締め付けられることで通信ケーブル２３の防水を確実にできる。
【００３６】
さらに、本実施形態では、防水ケ−ブルクランプ３７は、既存のエアー継ぎ手と同様にして、管状部材を密閉状態で固定する手段を有するため、外線ケ−ブル２３を屋外環境でも保護する蛇腹管２８等の管状部材を簡便に取り付け可能となるので、外線ケーブル２３を屋外環境でも使用できる。
【００３７】
以上、説明したように、本実施形態のモジュラコネクタ１００は、コンセント部とプラグ部をコネクタ締結ねじキャップ３１を用いて連結することにより、防水機能を有するコネクタとなる。
【００３８】
また、防水ケーブルクランプ３７の先端側に蛇腹管２８等の管状部材を密閉状態で固定する手段を有するため、通信ケ−ブル２３を屋外環境でも保護する蛇腹管２８を簡便に取り付け可能となり、非防水性の通信ケーブル２３が防水される。このため、通信ケーブル２３を屋外環境でも使用できるようになるので、モジュラコネクタ１００の着脱が装置外側だけで簡単に接続可能となる。
【００３９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４０】
例えば、上記第１実施形態では、２個のモジュラジャック１４および１５をプリント基板１６で電気的に接続したが、反対方向を向いた２つの挿入口を有する単体のジャックをホルダ１８に取り付けるようにしてもよい。
【産業上の利用可能性】
【００４１】
本発明は、電話回線と電話機、あるいはＬＡＮ（Ｌｏｃａｌ Ａｒｅａ Ｎｅｔｗｏｒｋ）回線と端末等を接続するモジュラコネクタに適用可能であり、特に屋外設置の無線基地局等へのハイウェイ通信ケ−ブル接続に使用される防水型モジュラコネクタに適用可能である。
【図面の簡単な説明】
【００４２】
【図１】本発明の第１実施形態による防水型モジュラコネクタのコンセント部の分解斜視図である。
【図２】同実施形態による防水型モジュラコネクタのプラグ部の分解斜視図である。
【図３】同実施形態による防水型モジュラコネクタの側面断面図である。
【符号の説明】
【００４３】
１    コンセント筐体
２    装置パネル
３  Ｏリングパッキン
４    取り付けねじ
５    角型フランジ
８、１２    （位置決め）リブ
１１    挿入口
１３    ねじ溝
１４、１５    モジュラジャック
１６    プリント基板
１７    モジュラジャックユニット
１８    モジュラジャックホルダ
１９    位置決め爪
２０    抜け防止爪
２１    プラグ筐体
２３    通信ケーブル
２４    モジュラプラグ
２５    プラグホルダ
２９    ブッシュ
３０    防水Ｏリングパッキン
３１    コネクタ締結ねじキャップ
３２    溝
３３    Ｃ型リテーナ
３５    ねじ部
３６    防水キャプコン部
３４、３７    （防水）ケーブルクランプ
３４ａ    ねじ部
３４ｂ    テーパ部
１００    モジュラコネクタ
１０１    （装置パネル内部の）通信ケーブル
１０２    モジュラプラグ
【図１】
2005276633.tif 000003
【図２】
2005276633.tif 000004
【図３】
2005276633.tif 000005